【手続補正書】
【提出日】平成29年3月29日(2017.3.29)
【手続補正１】
【補正対象書類名】明細書
【補正対象項目名】０１３８
【補正方法】変更
【補正の内容】
【０１３８】
したがって、本発明はとりわけ、引き伸ばし剥離物品及びファスナを提供する。本発明の種々の特徴及び利点は、添付の特許請求の範囲に定める。本発明の実施態様の一部を以下の項目［１］−［３１］に記載する。
［項目１］
第１の面と、前記第１の面の反対側の第２の面とを有する弾性裏材と、
前記弾性裏材の前記第１の面上の感圧性接着剤であって、第１のパターンを呈する、感圧性接着剤と、
前記弾性裏材の前記第２の面に、第２のパターンを呈する接合剤によって結合した構成要素と、を含み、
前記接合剤が、感圧性接着剤によって作り出されておらず、
前記第１及び第２のパターンが、同一平面に投射されるとき互いに実質的に重ならない、引き伸ばし剥離物品。
［項目２］
前記弾性裏材が、高分子フィルムを含む、項目１に記載の物品。
［項目３］
前記弾性裏材が、高分子不織布ウェブを含む、項目１に記載の物品。
［項目４］
前記弾性裏材が、１００％の伸長に基づいて、約７０％〜約９５％の弾性回復率を有する、項目１に記載の物品。
［項目５］
前記接合剤が、糊付け、溶接、ステープル留め、縫製、及びフックループ式メカニカルファスナによる締結のうちの少なくとも１つによって形成される、項目１に記載の物品。
［項目６］
前記弾性裏材に結合した面の反対側の前記構成要素の面上に接着剤を更に含む、項目１に記載の物品。
［項目７］
剥離ライナーが、前記弾性裏材の前記第１の面上の前記感圧性接着剤、及び前記弾性裏材に結合した面の反対側の前記構成要素の面上の前記接着剤のうちの少なくとも１つを覆う、項目６に記載の物品。
［項目８］
前記構成要素が使い捨て吸収性物品である、項目１に記載の物品。
［項目９］
前記使い捨て吸収性物品が婦人衛生パッドである、項目８に記載の物品。
［項目１０］
前記第１のパターンが、第１の方向に延在する平行な条片を含み、前記第２のパターンが、第２の方向に延在する平行な条片を含む、項目１に記載の物品。
［項目１１］
前記第１の方向が前記第２の方向に対して垂直である、項目１０に記載の物品。
［項目１２］
前記第１の方向が前記第２の方向に対して平行である、項目１０に記載の物品。
［項目１３］
前記第１のパターンの前記条片が、前記弾性裏材の末端の最後までは延在しない、項目１２に記載の物品。
［項目１４］
前記第１のパターンの前記条片が、前記第２のパターンの前記条片から横間隙をおいてずらされている、項目１２に記載の物品。
［項目１５］
前記第１及び第２のパターンがそれぞれ、条片、三角形、矩形、円、及びそれらの組み合わせからなる群から選択される形状の配列を含む、項目１に記載の物品。
［項目１６］
前記第１及び第２のパターンのうちの少なくとも１つが、１つ又は２つ以上の連続的スパイラルを含む、項目１に記載の物品。
［項目１７］
前記第１及び第２のパターンが、合計して、前記弾性裏材の全体の表面積の約１０％〜約６０％に相当する面積にわたって延在する、項目１に記載の物品。
［項目１８］
引き伸ばし剥離ファスナであって、
第１の面と、前記第１の面の反対側の第２の面とを有する弾性裏材と、
前記弾性裏材の前記第１の面上の感圧性接着剤であって、第１のパターンを呈する、感圧性接着剤と、
前記弾性裏材の前記第２の面上の接合要素であって、第２のパターンを呈する、接合要素と、を含み、
前記接合要素が感圧性接着剤ではなく、
前記第１及び第２のパターンが、同一平面に投射されるとき互いに実質的に重ならない、引き伸ばし剥離ファスナ。
［項目１９］
前記弾性裏材が、高分子フィルムを含む、項目１８に記載のファスナ。
［項目２０］
前記弾性裏材が、高分子不織布ウェブを含む、項目１８に記載のファスナ。
［項目２１］
前記弾性裏材が、１００％の伸長に基づいて、約７０％〜約９５％の弾性回復率を有する、項目１８に記載のファスナ。
［項目２２］
前記接合要素が、ホットメルト接着剤及び熱活性化接着剤のうちの少なくとも１つである、項目１８に記載のファスナ。
［項目２３］
前記接合要素が、フックループ式メカニカルファスナのフック要素及びループ要素のうちの少なくとも１つである、項目１８に記載のファスナ。
［項目２４］
前記第１のパターンが、第１の方向に延在する平行な条片を含み、前記第２のパターンが、第２の方向に延在する平行な条片を含む、項目１８に記載のファスナ。
［項目２５］
前記第１の方向が前記第２の方向に対して垂直である、項目２４に記載のファスナ。
［項目２６］
前記第１の方向が前記第２の方向に対して平行である、項目２４に記載のファスナ。
［項目２７］
前記第１のパターンの前記条片が、前記弾性裏材の末端の最後までは延在しない、項目２６に記載のファスナ。
［項目２８］
前記第１のパターンの前記条片が、前記第２のパターンの前記条片から横間隙をおいてずらされている、項目２６に記載のファスナ。
［項目２９］
前記第１及び第２のパターンがそれぞれ、条片、三角形、矩形、円、及びそれらの組み合わせからなる群から選択される形状の配列を含む、項目１８に記載の物品。
［項目３０］
前記第１及び第２のパターンのうちの少なくとも１つが、１つ又は２つ以上の連続的スパイラルを含む、項目１８に記載の物品。
［項目３１］
前記第１及び第２のパターンが、合計して、前記弾性裏材の全体の表面積の約１０％〜約６０％に相当する面積にわたって延在する、項目１８に記載の物品。
【手続補正２】
【補正対象書類名】特許請求の範囲
【補正対象項目名】全文
【補正方法】変更
【補正の内容】
【特許請求の範囲】
【請求項１】
第１の面と、前記第１の面の反対側の第２の面とを有する弾性裏材と、
前記弾性裏材の前記第１の面上の感圧性接着剤であって、第１のパターンを呈する、感圧性接着剤と、
前記弾性裏材の前記第２の面に、第２のパターンを呈する接合剤によって結合した構成要素と、を含み、
前記接合剤が、感圧性接着剤によって作り出されておらず、
前記第１及び第２のパターンが、同一平面に投射されるとき互いに実質的に重ならない、引き伸ばし剥離物品。
【請求項２】
前記弾性裏材に結合した面の反対側の前記構成要素の面上に接着剤を更に含む、請求項１に記載の物品。
【請求項３】
前記構成要素が使い捨て吸収性の婦人衛生パッドである、請求項１に記載の物品。
【請求項４】
前記第１のパターンが、第１の方向に延在する平行な条片を含み、前記第２のパターンが、第２の方向に延在する平行な条片を含む、請求項１に記載の物品。
【請求項５】
引き伸ばし剥離ファスナであって、
第１の面と、前記第１の面の反対側の第２の面とを有する弾性裏材と、
前記弾性裏材の前記第１の面上の感圧性接着剤であって、第１のパターンを呈する、感圧性接着剤と、
前記弾性裏材の前記第２の面上の接合要素であって、第２のパターンを呈する、接合要素と、を含み、
前記接合要素が感圧性接着剤ではなく、
前記第１及び第２のパターンが、同一平面に投射されるとき互いに実質的に重ならない、引き伸ばし剥離ファスナ。
【請求項６】
前記接合要素が、ホットメルト接着剤及び熱活性化接着剤のうちの少なくとも１つである、請求項５に記載のファスナ。
【請求項７】
前記接合要素が、フックループ式メカニカルファスナのフック要素及びループ要素のうちの少なくとも１つである、請求項５に記載のファスナ。